(57)【要約】【課題】コードリール基部の端子を清浄に維持可能な電気掃除機を提案する。【解決手段】電気掃除機１は、電源コード引出口２０を有する掃除機本体３と、掃除機本体３に収容された電動送風機１２と、掃除機本体３の内部に設けられたコードリール基部２９と、コードリール基部２９に回動自在に軸支され、一方向に付勢されたコードリール２８と、コードリール２８に巻回された電源コード１５と、コードリール基部２９に設けられ、電源コード１５に電気的に接続された端子３６と、コードリール基部２９に設けられ、電動送風機１２の排気から端子３６を遮る防風リブ３７と、を備える。【選択図】  図３
2010187922.tif 000002
【特許請求の範囲】
【請求項１】
電源コード引出口を有する掃除機本体と、
前記掃除機本体に収容された電動送風機と、
前記掃除機本体の内部に設けられたコードリール基部と、
前記コードリール基部に回動自在に軸支され、一方向に付勢されたコードリールと、
前記コードリールに巻回された電源コードと、
前記コードリール基部に設けられ、前記電源コードに電気的に接続された端子と、
前記コードリール基部に設けられ、前記電動送風機の排気から前記端子を遮る風防部と、を備えたことを特徴とする電気掃除機。
【請求項２】
前記風防部は、前記電源コード引出口に向かって延設されたことを特徴とする請求項１に記載の電気掃除機。
【請求項３】
前記コードリール基部は、前記電動送風機の排気口よりの前記風防部の近傍に開口を有することを特徴とする請求項１または２に記載の電気掃除機。
【発明の詳細な説明】
【技術分野】
【０００１】
本発明は、電源コードが巻回されたコードリールを有する掃除機本体を備えた電気掃除機に関する。
【背景技術】
【０００２】
電気掃除機は、電動送風機と、電動送風機に供給される電力を導く電源コードと、を備える。
【０００３】
一般に、電源コードは、掃除機本体に収容されたコードリールに巻回され、掃除機本体から引き出し、または掃除機本体に引き込むことができる。掃除機本体は、電源コードが挿通された電源コード引出口を有する。
【０００４】
従来の電気掃除機は、掃除機本体内で電動送風機の排気をコードリールに導くことで電源コードを冷却している。
【０００５】
コードリールは、コードリール基部に回動自在に保持される。コードリール基部には、電源コードに電気的に接続された端子が設けられる。この端子は、電動送風機や電気掃除機の制御部に電気的に接続される。（例えば、特許文献１参照）。
【先行技術文献】
【特許文献】
【０００６】
【特許文献１】特開平２−１７７９２３号公報
【発明の概要】
【発明が解決しようとする課題】
【０００７】
従来の電気掃除機は、掃除機本体に本体排気口を有し、この本体排気口から電動送風機の排気を掃除機本体の外に吐出する。一般に、整流子電動機を備えた電動送風機の排気には、ブラシに含まれる炭素成分や集塵部で分離しきれない微細塵などの塵埃が含まれる。この塵埃の一部は、電動送風機の排気風によって掃除機本体の外部に排出されるものの、他の部分は、掃除機本体の内部に残留する。コードリール基部の端子に塵埃が堆積されると、端子と電動送風機との間に導通不良などの電気的な故障の原因となる虞がある。
【０００８】
本発明は、コードリール基部の端子を清浄に維持可能な電気掃除機を提案する。
【課題を解決するための手段】
【０００９】
前記の課題を解決するため本発明では、電源コード引出口を有する掃除機本体と、前記掃除機本体に収容された電動送風機と、前記掃除機本体の内部に設けられたコードリール基部と、前記コードリール基部に回動自在に軸支され、一方向に付勢されたコードリールと、前記コードリールに巻回された電源コードと、前記コードリール基部に設けられ、前記電源コードに電気的に接続された端子と、前記コードリール基部に設けられ、前記電動送風機の排気から前記端子を遮る風防部と、を備えたことを特徴とする。
【発明の効果】
【００１０】
本発明によれば、コードリール基部の端子を清浄に維持可能な電気掃除機を提案できる。
【図面の簡単な説明】
【００１１】
【図１】本発明に係る電気掃除機の前方の外観を示した斜視図。
【図２】本発明に係る電気掃除機の後方の外観を示した斜視図。
【図３】本発明に係る電気掃除機を示した断面図。
【図４】本発明に係る電気掃除機の要部を示した斜視図。
【発明を実施するための形態】
【００１２】
本発明に係る電気掃除機の実施形態について図１から図４を参照して説明する。
【００１３】
図１は、本発明に係る電気掃除機の前方の外観を示した斜視図である。
【００１４】
図２は、本発明に係る電気掃除機の後方の外観を示した斜視図である。
【００１５】
図１および図２に示すように、本実施形態に係る電気掃除機１は、縦型、いわゆるアップライト型の電気掃除機である。電気掃除機１は、吸込口体２と、掃除機本体３と、集塵ホース４と、手元操作管５と、把持部６と、延長管７と、を備える。電気掃除機１は、吸込口体２を略水平な床面などの被掃除面に設置し、長手状の掃除機本体３を鉛直方向に沿わせると、起立した状態を維持できる。
【００１６】
吸込口体２は、掃除機本体３の一方側の端部に着脱自在に設けられ、床面などの被掃除面に配置される。吸込口体２は、吸込口本体９と、連通管１０と、従動輪１１と、を備える。
【００１７】
吸込口本体９は、幅広に形成される。
【００１８】
連通管１０は、吸込口本体９と掃除機本体３とを連通させる。連通管１０の一方側の端部は、吸込口本体９の一方側の長辺の中央部に回動自在に設けられる。連通管１０の他方側の端部は、掃除機本体３の一方側の端部に着脱自在に接続される。
【００１９】
従動輪１１は、連通管１０の両側部に回動自在に設けられる。電気掃除機１は、従動輪１１によって被掃除面上を軽快に走行できる。
【００２０】
掃除機本体３は、その一方側の端部に収容された電動送風機１２と、その長手方向の略中央部に着脱自在に装着された塵埃分離集塵部１３と、その他方側の端部に形成された把手部１４と、電動送風機１２に電力を導く電源コード１５と、電源コード１５の巻取操作ボタン１６と、操作部１７と、制御部（図示省略）と、を備える。掃除機本体３は、電動送風機１２の排気側に連通された本体排気口１９と、電源コード１５が挿通された電源コード引出口２０と、を有する。把手部１４は、円弧状に形成される。電源コード１５は、その自由端部に形成された電源プラグ２２を備える。
【００２１】
塵埃分離集塵部１３は、例えば、慣性分離方式を用いたものである。塵埃分離集塵部１３は、含塵空気から塵埃を分離し、捕集する。
【００２２】
操作部１７は、把手部１４の近傍に設けられる。操作部１７は、電気掃除機１の運転状態を選択的に切り替える。具体的には、操作部１７は、電気掃除機１の運転を停止させる停止ポジションと、電気掃除機１の運転を開始させる開始ポジションとの間で切替ができる。
【００２３】
集塵ホース４は可撓性を有し、湾曲可能な細長略円筒状に形成される。集塵ホース４の一方側の端部は、掃除機本体３の他方側の端部に接続される。集塵ホース４は、掃除機本体３を介して、塵埃分離集塵部１３に連通される。
【００２４】
手元操作管５の一方側の端部は、集塵ホース４の他方側の端部に設けられる。手元操作管５は、集塵ホース４を介して掃除機本体３の内部に連通される。
【００２５】
把持部６は、電気掃除機１の使用者が把持して電気掃除機１を操作するものである。把持部６は、手元操作管５の他方側の端部から、集塵ホース４が設けられた手元操作管５の一方側の端部に向かって、湾曲させて突設される。
【００２６】
延長管７は、伸縮可能な細長略円筒状に形成される。延長管７の一方側の端部は、手元操作管５の他方側の端部に着脱自在に接続される。延長管７の他方側の端部は、掃除機本体３に形成された延長管固定部２３に挿入されて挿抜自在に固定される。延長管７は、手元操作管５および集塵ホース４を介して掃除機本体３の内部に連通される。
【００２７】
図３は、本発明に係る電気掃除機を示した断面図である。
【００２８】
図３に示すように、電気掃除機１は、床などの略水平な被掃除面Ｆ上に起立させると、上下方向に細長く形成された掃除機本体３を備える。
【００２９】
なお、説明を容易にするために以下、図２に示す姿勢を基本姿勢とし、吸込口体２が配置された側を下方、手元操作管５が配置された側を上方として上下の方向説明を行う。
【００３０】
吸込口体２は、吸込口２５を有し、中空に形成された吸込口本体９と、吸込口本体９を掃除機本体３に連通させる連通管１０と、連通管１０の両側部に回動自在に設けられた従動輪１１と、を備える。
【００３１】
掃除機本体３は、樹脂製のケース体２６と、ケース体２６の下端部に収容された電動送風機１２と、電動送風機１２の上方に配置された塵埃分離集塵部１３と、吸込口体２および集塵ホース４を塵埃分離集塵部１３に連通させる分岐管２７と、電源コード１５が巻回されたコードリール２８と、コードリール２８が回動自在に軸支されたコードリール基部２９と、を備える。
【００３２】
電動送風機１２は、吸気口３０を上方に向けて配置される。電動送風機１２の排気口３１は、ケース体２６が有する本体排気口１９に連通される。
【００３３】
塵埃分離集塵部１３は、ケース体２６に着脱自在に接続される。塵埃分離集塵部１３は、電動送風機１２の吸気口３０に連通される。塵埃分離集塵部１３の吸気側は、分岐管２７によって掃除機本体３の内部で分岐されて吸込口体２および集塵ホース４のそれぞれに連通される。塵埃分離集塵部１３の排気側は、電動送風機１２の吸気側に連通される。電動送風機１２が作動すると、塵埃分離集塵部１３の内部に負圧が作用する。塵埃分離集塵部１３は、分岐管２７で案内された含塵空気を塵埃と空気とに分離する分離部３２と、分離された塵埃が捕集される集塵部３３と、を備える。
【００３４】
分岐管２７は、吸込口体２または集塵ホース４から塵埃分離集塵部１３に塵埃空気を案内する吸引流路を有する。分岐管２７は、吸込口体２と塵埃分離集塵部１３と連通させる第一分岐管３４と、集塵ホース４と塵埃分離集塵部１３と連通させる第二分岐管３５と、を備える。
【００３５】
コードリール２８は、ケース体２６と第二分岐管３５との間に配置される。
【００３６】
コードリール基部２９は、ケース体２６の内部に固定され、コードリール２８を軸支する。コードリール基部２９は、コードリール２８が軸支された巻取軸（図示省略）と、コードリール２８を回動方向のいずれか一方向に付勢させるぜんまいばね（図示省略）と、電源コード１５に電気的に接続された端子３６と、電動送風機１２の排気から端子３６を遮る防風リブ３７（風防部）と、を備える。コードリール２８は、ぜんまいばねによって引き出された電源コード１５を自動的に巻き取ることができる。
【００３７】
掃除機本体３は、ケース体２６の上方、すなわち掃除機本体３の他方側の端部に淀み域Ｓを有する。淀み域Ｓは、第二分岐管３５とコードリール２８とコードリール基部２９近傍の空間であり、電動送風機１２の排気を積極的に吐出する開口が設けられていない領域である。
【００３８】
集塵ホース４の一方側の端部は、掃除機本体３の上部で第二分岐管３５に連通される。集塵ホース４と、手元操作管５と、延長管７とは、掃除機本体３に形成された延長管固定部２３に挿抜自在に挿入された延長管７によって掃除機本体３の上方に固定される。
【００３９】
電気掃除機１を運転すると、電動送風機１２が作動して、塵埃分離集塵部１３に負圧が作用する。この負圧は第一分岐管３４を介して吸込口体２に作用する。そうすると、電気掃除機１は、吸込口体２から空気とともに床などの被掃除面Ｆに溜まった塵埃を吸い込んで被掃除面Ｆを掃除する。吸込口体２に吸い込まれた含塵空気は、掃除機本体３に収容された塵埃分離集塵部１３によって空気と塵埃とに分離される。分離された塵埃は塵埃分離集塵部１３に集塵される。他方側、分離された空気は、電動送風機１２に吸い込まれて、掃除機本体３の本体排気口１９および電源コード引出口２０から吐出される。
【００４０】
また、吸込口体２が入り込めないような狭隘な場所では、延長管７を延長管固定部２３から抜き出す。そうすると、塵埃分離集塵部１３に作用する負圧は、第二分岐管３５を介し、集塵ホース４と手元操作管５とを経て延長管７に作用する。電気掃除機１は、延長管７の他方側の端部（自由端部）の先端部から空気とともに床などの被掃除面に溜まった塵埃を吸い込んで被掃除面を掃除する。
【００４１】
図４は、本発明に係る電気掃除機の要部を示した斜視図である。
【００４２】
図４に示すように、電気掃除機１のコードリール基部２９は、円板状に形成される。コードリール基部２９は、その中央部に設けられた端子３６と、端子３６の外周縁に設けられた防風リブ３７と、を備える。コードリール基部２９は、防風リブ３７の外周縁に開口３８を有する。
【００４３】
防風リブ３７は、電動送風機１２の排気から端子３６を遮るとともに、排気風を電源コード引出口２０に導くようコードリール基部２９の中央部から電源コード引出口２０に向けて延設される。
【００４４】
開口３８は、電動送風機１２の排気口３１よりであって、防風リブ３７の近傍に形成される。
【００４５】
電気掃除機１は、ケース体２６が有する本体排気口１９と電源コード引出口２０とから電動送風機１２の排気をケース体２６の外部に吐出する。（図４中、実線矢Ａ）。
【００４６】
このとき、電動送風機１２の排気は、第二分岐管３５とコードリール基部２９との周囲の淀み域Ｓに環流（図４中、破線矢Ｂ）を発生させるとともに、電動送風機１２の排気に含まれる炭素成分や、集塵部で分離しきれない微細塵などの塵埃を環流に供給する。
【００４７】
ここで、防風リブ３７は、環流および環流に含まれた塵埃から端子３６を遮り、端子３６に対する塵埃の付着を抑制するとともに、環流および環流に含まれた塵埃を電源コード引出口２０に導いて掃除機本体３の外部に吐出させる。また、環流の一部は、開口３８によってコードリール２８に吹き込み電源コード１５を冷却しつつ電源コード引出口２０に導かれる。
【００４８】
なお、淀み域Ｓの何れかの場所に排気口を設け、電動送風機１２の排気が淀み域Ｓで環流しないよう構成された電気掃除機であっても、防風リブ３７を設けることで端子３６を電動送風機１２の排気から遮り、端子３６に対する塵埃の付着を抑制する効果を得られる。
【００４９】
このように構成された本実施形態に係る電気掃除機１によれば、電源コード１５と電動送風機１２や制御部とを電気的に接続させる端子３６を清浄に維持し、端子３６における導通不良などの電気的な故障の発生が抑制されるとともに、電源コード１５に十分な空気流を供給して冷却することができる。
【００５０】
したがって、本実施形態に係る電気掃除機１によれば、コードリール基部２９の端子３６を清浄に維持できる。
【００５１】
なお、本発明に係る電気掃除機１は、アップライト型の電気掃除機１に限らず、キャニスタ型、スティック型、あるいはハンディ型などの電気掃除機１であってもよい。
【符号の説明】
【００５２】
１  電気掃除機
２  吸込口体
３  掃除機本体
４  集塵ホース
５  手元操作管
６  把持部
７  延長管
９  吸込口本体
１０  連通管
１１  従動輪
１２  電動送風機
１３  塵埃分離集塵部
１４  把手部
１５  電源コード
１６  巻取操作ボタン
１７  操作部
１９  本体排気口
２０  電源コード引出口
２２  電源プラグ
２３  延長管固定部
２５  吸込口
２６  ケース体
２７  分岐管
２８  コードリール
２９  コードリール基部
３０  吸気口
３１  排気口
３２  分離部
３３  集塵部
３４  第一分岐管
３５  第二分岐管
３６  端子
３７  防風リブ
３８  開口
【図１】
2010187922.tif 000003
【図２】
2010187922.tif 000004
【図３】
2010187922.tif 000005
【図４】
2010187922.tif 000006